(57)【要約】【課題】搭載部に搭載されている物品が所定の残量に減った旨を視覚的な報知以外の手法で報知することが可能なマガジンを提供する。【解決手段】マガジン１００は、複数の物品（たばこ商品６０）を前後方向に並べて搭載可能な搭載部１０と、搭載部１０に沿って前後に移動可能に設けられた押圧スライダ２０と、押圧スライダ２０を前方に付勢するスライダ付勢部（例えば巻きバネ５０）と、打撃を受けて発音する鐘部材８１と、押圧スライダ２０が特定の前進位置に前進することに連動して鐘部材８１を打撃する打撃機構（打撃部７０及び係合部ユニット９０等により構成される）と、を備えている。【選択図】図１
2018000698.tif 000002
【特許請求の範囲】
【請求項１】
複数の物品を前後方向に並べて搭載可能な搭載部と、
前記搭載部に沿って前後に移動可能に設けられた押圧スライダと、
前記押圧スライダを前方に付勢するスライダ付勢部と、
打撃を受けて発音する鐘部材と、
前記押圧スライダが特定の前進位置に前進することに連動して前記鐘部材を打撃する打撃機構と、
を備えるマガジン。
【請求項２】
前記鐘部材は、前記押圧スライダに搭載されており、
前記打撃機構は、
打撃方向に移動して前記鐘部材を打撃する打撃部と、
前記押圧スライダが前進する際に前記打撃部に対して係合して前記打撃部を前記打撃方向に対する反対方向に移動させる係合部と、
を備え、
前記係合部が前記打撃部に対して係合して前記打撃部が前記反対方向に移動した後、前記打撃部に対する前記係合部の係合が解除されて前記打撃部が前記打撃方向に移動することで、前記打撃部が前記鐘部材を打撃する請求項１に記載のマガジン。
【請求項３】
前記打撃部は、前記押圧スライダに対して揺動可能に軸支されており、
前記打撃方向は、前記打撃部の揺動方向における一方向であり、
前記打撃機構は、前記打撃部を前記揺動方向における前記一方向に付勢する付勢部を備え、
前記係合部は、前記押圧スライダが前進する際に前記打撃部に係合して前記打撃部を前記付勢部による付勢に抗して前記一方向に対する反対方向に揺動させ、
前記係合部が前記打撃部に対して係合して前記打撃部が前記反対方向に揺動した後、前記打撃部に対する前記係合部の係合が解除されて前記打撃部が前記打撃方向に揺動することで、前記打撃部が前記鐘部材を打撃する請求項２に記載のマガジン。
【請求項４】
前記付勢部は、ねじりバネであり、棒状体の一部分が渦巻き状に巻回されることにより構成された巻回部と、前記巻回部から突出している前記棒状体の他の一部分により構成されている第１突出部と、前記巻回部から突出している前記棒状体の更に他の一部分により構成されている第２突出部と、を有しており、
前記ねじりバネの前記巻回部は、前記打撃部と同軸に、前記押圧スライダに対して軸支されており、
前記打撃部は、前記ねじりバネの前記第１突出部を保持する第１保持部を有し、
前記押圧スライダには、前記ねじりバネの前記第２突出部を保持する第２保持部が設けられている請求項３に記載のマガジン。
【請求項５】
前記打撃部は、
前記押圧スライダに軸支されている被軸支部と、
前記鐘部材を打撃する打撃体と、
前記被軸支部と前記打撃体とを相互に連結しているコイルバネと、
を備える請求項３又は４に記載のマガジン。
【請求項６】
前記係合部は、前記搭載部の底面上に設けられ、
前記打撃部は、当該マガジンの前後方向に対して直交する幅方向に延在する水平軸周りに揺動可能に前記押圧スライダに軸支されている請求項３から５のいずれか一項に記載のマガジン。
【請求項７】
前記係合部は、前方に向けて上り傾斜している第１傾斜面と、前記第１傾斜面の前方に隣接して配置されているとともに前方に向けて下り傾斜している第２傾斜面と、を含む山型形状であり、
前記第１傾斜面に対して前記打撃部が係合した状態で前記押圧スライダが前進することによって、前記打撃部が前記反対方向に揺動するようになっており、
前記第２傾斜面の傾斜角度が、前記第１傾斜面の傾斜角度よりも急角度である請求項６に記載のマガジン。
【請求項８】
前記特定の前進位置が前後方向において複数箇所に存在している請求項１から７のいずれか一項に記載のマガジン。
【発明の詳細な説明】
【技術分野】
【０００１】
本発明は、複数の物品が前後方向に並べて搭載されるマガジンに関する。特に、物品の残量を報知可能なマガジンに関する。
【背景技術】
【０００２】
コンビニエンスストアなどの店舗では、様々な物品がいわゆる什器に陳列されている。
多様な物品のうち、例えばたばこ商品などの特定の物品を陳列するための什器の棚には、複数の物品を前後方向に一列に搭載するための商品搭載用の容器が複数設置される。この容器は一般的にはマガジン、カートリッジまたはホルダーなどと呼ばれている。以下では、この容器をマガジンと呼称する。
なお、ここでいうたばこ商品とは、喫煙に供される個々の紙巻たばこではなく、複数本の紙巻たばこを収容している直方体状のパッケージを意味している。
【０００３】
ところで、マガジンに搭載された物品の残個数が減ってくると、店員が物品を補充する必要がある。しかし、個々のマガジンにおける物品の残個数を数える作業は繁雑であるため、残個数を数えなくても、残個数がある程度以下に減ったことを容易に認識できるようにしたいという要望があった。これに対し、マガジンの搭載部に搭載されている物品の残個数が減ったことを表示する技術が提案されている。
【０００４】
例えば、特許文献１には、レール部が設けられた第１底面と当該第１底面よりも下方に設けられた第２底面とを有する透明な箱状の搭載部（同文献の枠体）と、レール部に沿って前後に摺動可能に設けられた押圧スライダ（同文献の押し板）と、細長い金属の板を渦巻状に巻回した巻回部を有するバネと、バネの巻回部を収納するバネ収納部と、を備えるマガジンが記載されている。バネの先端は、バネ収容部から前方に引き出され、第１底面と第２底面との間の空間に導入されている。このマガジンは、更に、搭載部の前端部における底部に設けられた滑車と、バネの先端と押圧スライダとを接続しているとともに滑車に係合している紐と、を備えている。したがって、バネ及び紐が一連の長尺な索体を構成しており、この索体は、バネ収容部の巻回部から前方に延び、滑車で折り返して後方に延び、押圧スライダに接続されている。そして、バネの付勢に従って押圧スライダが前進する際に巻回部にバネが巻き取られ、バネの付勢に抗して押圧スライダが後退することにより巻回部から前方にバネが繰り出されるようになっている。
ここで、紐の一部分は、着色された着色部となっている。
そして、押圧スライダが前進した際、すなわち搭載部に搭載された物品の残量が少なくなった際には、紐の着色部を搭載部の正面から視認可能となるようになっている。
よって、搭載部の正面から紐の色を目視で確認することによって、搭載部に搭載されている物品の残量が減ったか否かを認識することが可能である。
【先行技術文献】
【特許文献】
【０００５】
【特許文献１】特開２０１５−２４０８３号公報
【発明の概要】
【発明が解決しようとする課題】
【０００６】
しかしながら、特許文献１のマガジンのように、物品の残量を視覚的に報知する場合、残量の認識のためには、マガジンを目視で確認する必要がある。
しかしながら、忙しい店員は、マガジンにおける視覚的な報知状況の確認にまで目が行き届かない可能性がある。
このため、搭載部に搭載されている物品の残量を視覚的な報知以外の手法で報知することが望まれている。
【０００７】
本発明は、上記の課題に鑑みてなされたものであり、搭載部に搭載されている物品が所定の残量に減った旨を視覚的な報知以外の手法で報知することが可能なマガジンを提供するものである。
【課題を解決するための手段】
【０００８】
本発明によれば、複数の物品を前後方向に並べて搭載可能な搭載部と、
前記搭載部に沿って前後に移動可能に設けられた押圧スライダと、
前記押圧スライダを前方に付勢するスライダ付勢部と、
打撃を受けて発音する鐘部材と、
前記押圧スライダが特定の前進位置に前進することに連動して前記鐘部材を打撃する打撃機構と、
を備えるマガジンが提供される。
【発明の効果】
【０００９】
本発明によれば、搭載部に搭載されている物品が所定の残量に減った旨を聴覚的に報知することが可能となる。
【図面の簡単な説明】
【００１０】
【図１】図１（ａ）は実施形態に係るマガジンの前部の斜視図であり、押圧スライダが特定の前進位置よりも後方にある状態を示す。図１（ｂ）は実施形態に係るマガジンの前部の斜視図であり、押圧スライダが特定の前進位置に前進した状態を示す。
【図２】図２（ａ）は実施形態に係るマガジンの前部の平面図であり、押圧スライダが特定の前進位置よりも後方にある状態を示す。図２（ｂ）は実施形態に係るマガジンの前部の平面図であり、押圧スライダが特定の前進位置に前進した状態を示す。
【図３】実施形態に係るマガジンの側面図である。
【図４】図３のＩＶ−ＩＶ線に沿った断面図である。
【図５】図５（ａ）、図５（ｂ）及び図５（ｃ）は実施形態に係るマガジンの動作を説明するための模式的な側面図である。
【発明を実施するための形態】
【００１１】
以下、本発明の実施形態について、図面を用いて説明する。なお、すべての図面において、同様の構成要素には同一の符号を付し、適宜に説明を省略する。
本実施形態では、各構成要素の位置関係を分かりやすく説明するために、前後左右上下等の方向を規定して説明する場合がある。しかし、これらの方向の規定は便宜的なものであり、本発明を実施する製品の製造時や使用時の方向を限定するものではない。なお、マガジンに関連する前後は、マガジンの正面側を前方向、背面側を後方向とする。また、マガジンに関連する左右は、マガジンの幅方向であって正面側から観察したときの左右をいう。
また、フラップ１６の各部の位置関係は、フラップ１６が起立している状態での位置関係を説明したものである。
また本発明の各種の構成要素は、個々に独立した存在である必要はなく、一つの構成要素が他の構成要素の一部であること、ある構成要素の一部と他の構成要素の一部とが重複していること、等を許容する。
【００１２】
図１（ａ）及び図１（ｂ）は本実施形態に係るマガジン１００の前部の斜視図である。
なお、図１（ａ）及び図１（ｂ）においては、便宜的に、手前側の側壁部１３を仮想線で示しているとともに、当該側壁部１３を透視させて奥の部分（打撃部７０、係合部ユニット９０等）を見せている。
図２（ａ）及び図２（ｂ）は本実施形態に係るマガジン１００の前部の平面図である。
図３は本実施形態に係るマガジン１００の側面図である。
このうち図１（ａ）、図２（ａ）及び図３は、押圧スライダ２０が特定の前進位置（最も後方の特定の前進位置）よりも後方にある状態を示す。
一方、図１（ｂ）及び図２（ｂ）は、押圧スライダ２０が特定の前進位置（最も後方の特定の前進位置）まで前進した状態を示す。
図４は図３のＩＶ−ＩＶ線に沿った断面図である。
なお、図１（ａ）、図１（ｂ）、図２（ａ）、図２（ｂ）及び図３においては、搭載部１０に搭載されたたばこ商品６０を二点鎖線で示しているが、図４においてはたばこ商品６０の図示を省略している。
図５（ａ）、図５（ｂ）及び図５（ｃ）は本実施形態に係るマガジン１００の動作を説明するための模式的な側面図である。
【００１３】
いずれかの図に示すように、本実施形態に係るマガジン１００は、複数の物品（たばこ商品６０）を前後方向に並べて搭載可能な搭載部１０と、搭載部１０に沿って前後に移動可能に設けられた押圧スライダ２０と、押圧スライダ２０を前方に付勢するスライダ付勢部（例えば巻きバネ５０）と、打撃を受けて発音する鐘部材８１と、押圧スライダ２０が特定の前進位置に前進することに連動して鐘部材８１を打撃する打撃機構（打撃部７０及び係合部ユニット９０）と、を備えている。
【００１４】
ここで、特定の前進位置（より詳細には、最も後方の「特定の前進位置」）とは、搭載部１０に搭載されている物品（本実施形態の場合、たばこ商品６０）が所定の残量となる位置である。
ここで、所定の残量とは、例えば、所定の残個数である。所定の残個数は、マガジン１００の各部の寸法や位置関係と、搭載部１０に搭載されるたばこ商品６０の前後方向寸法（厚み寸法）と、に応じて定まる。
本実施形態の場合、一例として、所定の残個数は５個に設定されている。
すなわち、図１（ｂ）及び図２（ｂ）は、搭載部１０に搭載されているたばこ商品６０の個数が５個の状態を示している。
また、図１（ａ）、図２（ａ）及び図３は、搭載部１０に搭載されているたばこ商品６０の個数が５個よりも多い状態を示している。特に、図１（ａ）及び図２（ａ）は、搭載部１０に搭載されているたばこ商品６０の個数が所定の残量よりも１個多い６個の状態を示している。
【００１５】
搭載部１０にはたばこ商品６０を縦置きで前後に一列に並ぶ状態で搭載可能となっている。
例えば、搭載部１０には、標準寸法のたばこ商品６０を最大で１５個搭載可能となっている。なお、たばこ商品６０は銘柄により前後方向寸法（厚み寸法）が異なるため、搭載部１０におけるたばこ商品６０の搭載数は、銘柄によって異なる場合がある。また、マガジン１００に陳列するたばこ商品６０の銘柄が変更された場合には、所定の残個数が変化する場合があり得る。
【００１６】
搭載部１０は、前後方向に長尺で上方に向けて開口している箱型の容器である。搭載部１０は、複数のたばこ商品６０を支持する底板部１２と、底板部１２の左右両側端に設けられた左右一対の側壁部１３と、底板部１２の前端部に設けられた前壁部１４と、底板部１２の後端部に設けられた後壁部１７と、底板部１２の下面から下方に突出しているブレード１９（図３、図４）と、を備えている。底板部１２及び側壁部１３は、それぞれ前後方向に長尺に形成されており、搭載部１０の前端部から後端部に亘って延在している。
【００１７】
底板部１２の具体的な構造は、特に限定されないが、本実施形態の場合、底板部１２には、底板部１２の後端部から前端部に亘って延在する左右一対のスリット１２ｃ（図２（ａ）、図２（ｂ）、図４）が形成されている。底板部１２は、平面視において左右一対のスリット１２ｃによって挟まれた中央部１２ａと、平面視において各スリット１２ｃを介して中央部１２ａから離間している左右一対の側部１２ｂと、を含んでいる。
一対の側部１２ｂの各々は、水平に配置された板状部であり、前後方向に延在している。左右一対の側部１２ｂの各々の上面には、前後に延在する突条であるガイドレール１２ｄが形成されている。
底板部１２上に搭載されたたばこ商品６０は、左右一対の側部１２ｂのガイドレール１２ｄ間に跨がった状態となり、一対のガイドレール１２ｄに沿って前後に摺動可能となる。
底板部１２の中央部１２ａも、水平に前後方向に延在している。
底板部１２の前端部には、上方に向けて隆起したスロープ１２ｅ（図２（ａ）、図２（ｂ））が形成されている。これにより、押圧スライダ２０に押されて底板部１２の前端部に到達した先頭のたばこ商品６０が、他のたばこ商品６０よりも上方に持ち上がり、当該先頭のたばこ商品６０を取り出しやすくなっている。
また、各側部１２ｂにおいて、ガイドレール１２ｄよりもマガジン１００の幅方向中央寄りの部分は、押圧スライダ２０を前後にガイドするガイドレールを構成している。
【００１８】
左右一対の側壁部１３の各々は、板面が略鉛直に配置されており、且つ、互いに平行に対向している。一対の側壁部１３は、底板部１２の左右両端部から、上方に起立しているとともに下方にも垂下している。
なお、例えば、右側の側壁部１３には、当該側壁部１３を上縁側から下方に向かって切り欠いた形状の切欠形状部１３ｃが形成されており、搭載部１０へのたばこ商品６０の補充がし易くなっている。
【００１９】
ブレード１９は、前後に長尺なリブである。ブレード１９は、底板部１２の左右の側部１２ｂの下面から下方に突出している。
なお、ブレード１９は、側壁部１３において底板部１２よりも下方に垂下している部分よりも更に下方に突出している。
【００２０】
前壁部１４は、当該前壁部１４の下端部を構成する前壁下部１５と、当該前壁部１４における前壁下部１５よりも上側の部分を構成するフラップ１６と、を備えて構成されている。
【００２１】
前壁下部１５は、底板部１２の前端部、及び、左右一対の側壁部１３の前端部の下部と一体に設けられた、左右に長尺な板状の部分であり、板面が前後方向を向いている。
前壁下部１５は、底板部１２の前端部よりも上方に起立しており、前壁下部１５の上縁は水平に配置されている。
【００２２】
フラップ１６は、左右一対の側壁部１３によって軸支されており、前傾方向に揺動可能となっている。
フラップ１６は、平板状の前側壁部１６ａと、前側壁部１６ａよりも後方に位置しているとともに前側壁部１６ａに対して平行に配置された平板状の後側壁部１６ｂと、を備えている。
更に、フラップ１６は、左右一対の側壁部と、底板部とを備えている。フラップ１６は、一対の側壁部からそれぞれ側方に突出した状態に形成された左右一対の軸部１６ｄ及び左右一対のガイドピン１６ｅを備えている。
一対の軸部１６ｄの各々は、左右一対の側壁部１３にそれぞれ形成された軸支孔１３ａ（図３参照）に差し込まれている。これにより、フラップ１６は、左右一対の側壁部１３により軸支されている。
また、一対のガイドピン１６ｅの各々は、左右一対の側壁部１３にそれぞれ形成されたガイド孔１３ｂ（図３）に差し込まれており、フラップ１６が揺動する際にガイド孔１３ｂによってガイドピン１６ｅがガイドされるようになっている。
フラップ１６が起立した状態（前傾していない状態）において、前側壁部１６ａ及び後側壁部１６ｂは、略鉛直となり、各々の板面が前後方向を向くようになっている。
フラップ１６の前側壁部１６ａは、矩形状に形成されており、当該前側壁部１６ａの上縁及び下縁が水平に配置されている。
フラップ１６が起立した状態において、前側壁部１６ａの下縁の高さ位置は、前壁下部１５の上縁の高さ位置とほぼ一致する（前壁下部１５の上縁よりも僅かに高い位置となる）。
また、例えば、フラップ１６が起立した状態（前傾していない状態）において、前側壁部１６ａが前壁下部１５とほぼ面一となるように、フラップ１６が配置されている。
前側壁部１６ａと後側壁部１６ｂとの間隙は、たばこ商品６０の銘柄識別情報や価格情報などが付されたカード類を上方から差し込み可能なカードホルダを構成している。
【００２３】
図３に示すように、後壁部１７は、平板状の前側壁部（不図示）と、前側壁部よりも後方に位置しているとともに前側壁部に対して平行に配置された後側壁部１７ｂと、を備えて構成されている。後壁部１７の前側壁部及び後側壁部１７ｂの各々は、板面が前後方向を向いており、底板部１２及び側壁部１３に対して直交している。
後壁部１７の前側壁部と後側壁部１７ｂとの間隙は、たばこ商品６０の銘柄識別情報や価格情報などが付されたカード類を上方から差し込み可能なカードホルダを構成している。
【００２４】
底板部１２の前端部の下側には、収容ケース部１８が設けられている。
収容ケース部１８は、後述するドラム５５と、該ドラム５５に巻き付けられている巻きバネ５０の巻回部５１と、を収容する部分である。収容ケース部１８は、側面視において、底板部１２から下方に向けて半円弧状に突出している（図３参照）。
収容ケース部１８は、左右一対の側壁部であって互いに平行に対向している側壁部を含んで構成されている。収容ケース部１８の各側壁部には、ドラム５５の後述する軸部５５ａを軸支する軸受部１８ａが形成されている。
収容ケース部１８は、上記一対の側壁部によって左右両端が閉塞されている他、当該収容ケース部１８の前面側、下面側、及び背面側を閉塞する側面視半円弧状で平面視矩形状の薄板状の部分を有している。
ただし、収容ケース部１８は上方には開放している。したがって、収容ケース部１８内に収容された巻回部５１から繰り出された繰出部５２を、収容ケース部１８の上方に繰り出して、更に収容ケース部１８よりも後方に繰り出すことができるようになっている。
なお、収容ケース部１８は、例えば、マガジン１００の左右方向における中央部に配置されている。
【００２５】
ここで、例えば、搭載部１０の構成要素のうち、底板部１２、一対の側壁部１３、前壁下部１５、後壁部１７、収容ケース部１８及びブレード１９は、一体成形されており、本体部１１を構成している。すなわち、搭載部１０において、フラップ１６以外の部分は、本体部１１を構成している。
【００２６】
フラップ１６及び後側壁部１７ｂの各々は、例えば、透明な樹脂材料などの透光性材料により構成されている。このため、フラップ１６のカードホルダ及び後壁部１７のカードホルダにそれぞれ保持されたカード類を、マガジン１００の前方及び後方からそれぞれ視認可能となっている。例えば、本体部１１は全体が透光性材料により構成されている。
【００２７】
押圧スライダ２０は、底板部１２に沿って前後に移動可能に、底板部１２に装着されている。
図１（ａ）、図１（ｂ）、図２（ａ）、図２（ｂ）、図３及び図４のいずれかに示すように、押圧スライダ２０は、底板部１２に対して前後に摺動可能に底板部１２に装着された摺動部２１と、摺動部２１の前端部から上方に起立している起立板２２と、起立板２２の後方に配置されている左右一対のリブ２３と、を備えて構成されている。
【００２８】
図４に示すように、摺動部２１は、底板部１２の左右の側部１２ｂをそれぞれ上下から挟持する左右一対の挟持部（第１挟持部２１ａ及び第２挟持部２１ｂ）を備えている。なお、図４は押圧スライダ２０の後方から前方を視た図となっているため、図４においては左右が反転して示されている。
図４に示すように、摺動部２１の右半部（図４においては左半部）が第１挟持部２１ａを有している。第１挟持部２１ａは、右側（図４においては左側）に向けて開口するスリットを有している。第１挟持部２１ａのスリットに対し、右側（図４においては左側）の側部１２ｂにおけるスリット１２ｃの縁部が差し込まれることにより、第１挟持部２１ａが当該右側の側部１２ｂを上下から挟持している。
一方、摺動部２１の左半部（図４においては右半部）が第２挟持部２１ｂを有している。第２挟持部２１ｂは、左側（図４においては右側）に向けて開口するスリットを有している。第２挟持部２１ｂのスリットに対し、左側（図４においては右側）の側部１２ｂにおけるスリット１２ｃの縁部が差し込まれることにより、第２挟持部２１ｂが当該左側の側部１２ｂを上下から挟持している。
摺動部２１は、第１挟持部２１ａ及び第２挟持部２１ｂによって左右の側部１２ｂを挟持した状態で、底板部１２に沿って前後に摺動可能となっている。
【００２９】
起立板２２は、平板状に形成されており、当該起立板２２の板面が前後方向を向くように配置されている。起立板２２は、搭載部１０に搭載されているたばこ商品６０のうち、最後尾のたばこ商品６０の背面に当接し、該たばこ商品６０を前方に押すようになっている。
【００３０】
一対のリブ２３は、起立板２２から後方に起立しており、互いに左右に離間している。一対のリブ２３は互いに平行に対向している。各リブ２３の板面は、左右方向を向いている。
【００３１】
なお、摺動部２１において、左右一対のリブ２３どうしの間の部分の上面には、巻きバネ５０を係止する係止突起２１ｃが形成されている。
更に、摺動部２１における左右一対のリブ２３どうしの間の部分において、係止突起２１ｃよりも前方の部分には、当該部分を上下に貫通している通し孔（不図示）が形成されている。
【００３２】
マガジン１００は、押圧スライダ２０を前方に付勢するスライダ付勢部として、例えば、巻きバネ５０を備えている。すなわち、スライダ付勢部は、巻きバネ５０により構成されている。
巻きバネ５０は、渦巻き状に巻回された巻回部５１と、巻回部５１から繰り出された繰出部５２と、を含んで構成されている。
更に、マガジン１００は、巻きバネ５０の巻回部５１が周面に巻き付けられているとともに、該巻回部５１を保持している筒状のドラム５５を備えている。ドラム５５の左右両端には、それぞれ軸部５５ａが形成されている。
ドラム５５は、一対の軸部５５ａがそれぞれ収容ケース部１８の左右の軸受部１８ａによって軸支されている。これにより、ドラム５５は軸周りに回転可能な状態で、収容ケース部１８によって保持されている。
巻きバネ５０の繰出部５２は、巻回部５１の上端部から後方に繰り出されている。
繰出部５２の先端部（後端部）には、当該繰出部５２の表裏を貫通している貫通孔である被係止部５０ｃ（図２（ａ）、図２（ｂ））が形成されている。
繰出部５２の先端部（後端部）は、底板部１２の中央部１２ａの上面に沿って後方に導かれ、更に、押圧スライダ２０の摺動部２１の通し孔を下側から上側にくぐり抜けて、摺動部２１における一対のリブ２３間の部分の上方に導かれている。そして、繰出部５２の先端部の被係止部５０ｃに対して、摺動部２１の係止突起２１ｃが係止されることによって、繰出部５２の先端部が押圧スライダ２０に連結されている。
巻きバネ５０には、繰出部５２を巻回部５１に巻き取る方向の巻き癖が付与されている。巻きバネ５０は、繰出部５２を巻回部５１に巻き取ろうとする力によって、押圧スライダ２０を前方に付勢している。
【００３３】
なお、軸受部１８ａは、収容ケース部１８の左右の側壁部にそれぞれ形成されたスリットの先端部（下端部）により構成されている。そして、収容ケース部１８の上方から収容ケース部１８内にドラム５５を落とし込むことによって、ドラム５５の一対の軸部５５ａが軸受部１８ａによって軸支されている。より詳細には、これらスリットの先端部（下端部）は、後方に向けて鉤爪状に屈曲しており、その屈曲した先端部においてドラム５５の軸部５５ａが軸支されている。これにより、軸受部１８ａからの軸部５５ａの脱落が抑制されるため、ドラム５５が収容ケース部１８によって安定的に保持されている。
【００３４】
ここで、図３に示すように、巻きバネ５０の巻回部５１を収容する収容ケース部１８の下端部は、ブレード１９よりも下方に突出している。これにより、底板部１２の前端部よりも下方において、ドラム５５を収容可能となるような収容ケース部１８の容積を容易に確保できる。
また、ドラム５５を底板部１２よりも下方に配置できることから、フラップ１６の下端部を底板部１２の前端部の近傍に配置しても、フラップ１６とドラム５５との干渉を抑制できる。よって、フラップ１６内のカードホルダの高さ寸法を十分に確保できる。
また、収容ケース部１８の下端部がブレード１９よりも下方に突出していることにより、収容ケース部１８の容積を十分に確保できるので、巻きバネ５０の繰出部５２が巻回部５１の上端部から後方に繰り出されている構成を容易に実現できる。
【００３５】
なお、マガジン１００は、複数のマガジン１００を搭載可能な什器の棚板に載置することができるが、その際に、収容ケース部１８の少なくとも下端部は、什器の棚板の上面よりも下方に配置することもできる。これにより、収容ケース部１８の一部分をデッドスペース（具体的には、棚板の前方であって、棚板の厚みの範囲内の領域）に配置することができる。よって、什器に対するマガジン１００の配置に関し、スペース効率を高めることが可能となる。
【００３６】
上述のように、マガジン１００は、打撃を受けて発音する鐘部材８１を備えている。
鐘部材８１は、押圧スライダ２０に搭載されている。
より詳細には、押圧スライダ２０が備える一対のリブ２３のうち、一方のリブ２３（例えば左側のリブ２３）の外側面に沿って平板状の取付ベース部材８０が固定されている。この取付ベース部材８０に対して鐘部材８１が固定されている。
図４等に示すように、鐘部材８１は、例えば、円筒状の円筒部８１ａと、円筒部８１ａの一方の端部を閉塞しているドーム状のドーム部８１ｂとを備えている。したがって、鐘部材８１は、円筒部８１ａの他端側が開放した形状となっている。鐘部材８１は、ドーム部８１ｂの中心を貫通して設けられたビス等の止着部材８１ｃによって、取付ベース部材８０に対して固定されている。
ここで、円筒部８１ａの軸方向は、取付ベース部材８０及びリブ２３に対して直交している。すなわち、円筒部８１ａの軸心方向は左右方向に延在している。
更に、上述のように、マガジン１００は、押圧スライダ２０が特定の前進位置に前進することに連動して鐘部材８１を打撃する打撃機構を備えている。
この打撃機構は、打撃方向に移動して鐘部材８１を打撃する打撃部７０と、押圧スライダ２０が前進する際に打撃部７０に対して係合して打撃部７０を打撃方向に対する反対方向に移動させる係合部９２と、を備えている。係合部９２が打撃部７０に対して係合して打撃部７０が上記反対方向に移動した後、打撃部７０に対する係合部９２の係合が解除されて打撃部７０が打撃方向に移動することで、打撃部７０が鐘部材８１を打撃するようになっている。
【００３７】
より詳細には、打撃部７０は、押圧スライダ２０に対して揺動可能に軸支されている。そして、打撃方向は、打撃部７０の揺動方向における一方向（図５（ｃ）の矢印Ｂ方向）である。
打撃機構は、打撃部７０をその揺動方向における一方向（図５（ｃ）の矢印Ｂ方向）に付勢する付勢部（例えばねじりバネ８９）を備えている。
係合部９２は、押圧スライダ２０が前進する際に打撃部７０に係合して打撃部７０を付勢部による付勢に抗して上記一方向に対する反対方向（図５（ｂ）の矢印Ａ方向）に揺動させる。
そして、係合部９２が打撃部７０に対して係合して打撃部７０が上記反対方向（矢印Ａ方向）に揺動した後、打撃部７０に対する係合部９２の係合が解除されて打撃部７０が打撃方向に揺動することで、打撃部７０が鐘部材８１を打撃するようになっている。
【００３８】
図４に示すように、取付ベース部材８０には、打撃部７０を軸支する軸支部８０ａが設けられている。
打撃部７０は、例えば、筒状部８３と、筒状部８３の一端に設けられた支持部８２と、支持部８２によって一端部が支持されているコイルバネ８７と、コイルバネ８７の先端部に設けられている打撃体８８と、係合部９２に対して係合する係合突起８６と、を備えている。
例えば、筒状部８３は円筒状に形成され、支持部８２は円盤状に形成されており、互いに同軸に配置されている。なお、筒状部８３及び支持部８２の軸方向は左右方向となっている。
軸支部８０ａは、支持部８２及び筒状部８３を左右方向に貫通する軸体を有しており、この軸体によって支持部８２及び筒状部８３を軸周りに回転可能に保持している。すなわち、打撃部７０は、取付ベース部材８０を介して押圧スライダ２０によって軸支されている。
また、打撃体８８は、マガジン１００の前後方向に対して直交する幅方向（左右方向）に延在する水平軸周りに揺動可能に押圧スライダ２０に軸支されている（取付ベース部材８０を介して押圧スライダ２０によって軸支されている）。
【００３９】
なお、打撃部７０の構成のうち、筒状部８３、支持部８２、係合突起８６及び後述する第１保持部８４により、被軸支部が構成されている。すなわち、打撃部７０は、押圧スライダ２０に軸支されている被軸支部と、鐘部材８１を打撃する打撃体８８と、被軸支部と打撃体８８とを相互に連結しているコイルバネ８７と、を備えている。なお、コイルバネ８７は金属により構成されていることが好ましい。また、コイルバネ８７は、密着巻き構造となっていることが好ましい。このようにすることにより、コイルバネ８７は、当該コイルバネ８７の軸方向が曲がる方向においてより変形しやすくなる。密着巻き構造とは、コイルバネ８７を構成する線材において、軸方向において隣り合う巻きどうしが、相互に密着している構造である。
打撃体８８は弾性体であるコイルバネ８７によって支持されているため、打撃体８８を柔軟に支持することができる。よって、打撃体８８が剛体によって支持されている場合と比べて、打撃体８８による打撃後の鐘部材８１の振動が抑制されにくくなるので、鐘部材８１からの良好な発音が可能となる。また、コイルバネ８７は、塑性変形しにくいとともに良好な耐久性を有するため、打撃部７０の長寿命化が図れる。
【００４０】
図５（ａ）〜（ｃ）に示すように、コイルバネ８７は、支持部８２の径方向外方成分を持つ方向に向けて、支持部８２から突出している。一例として、コイルバネ８７は、支持部８２の外周面から接線方向に突出している。係合突起８６は、コイルバネ８７と干渉しない位置において、支持部８２の径方向外方成分を持つ方向に向けて、支持部８２から突出している。
図５（ａ）に示すように、係合突起８６が係合部９２に対して係合していない状態では、係合突起８６は支持部８２の下部から下方に向けて突出した状態となるとともに、コイルバネ８７は支持部８２の前面下部から斜め上前方に向けて突出した状態となる。また、この状態では、打撃体８８は鐘部材８１の円筒部８１ａの外面の近傍に位置する。より詳細には、打撃体８８は円筒部８１ａの下側に位置している
なお、押圧スライダ２０の移動時の振動によって打撃体８８が円筒部８１ａに接触することがない程度に、打撃体８８は円筒部８１ａから離間している。
ここで、打撃部７０の被軸支部は、付勢部（ねじりバネ８９）の付勢に従って図５（ｃ）の矢印Ｂ方向に揺動する際には、図５（ａ）に示される位置を超えて矢印Ｂ方向に回転できるように、ある程度の遊びを有する状態で軸支部８０ａによって軸支されている。被軸支部を含む打撃部７０が図５（ａ）に示される位置を超えて矢印Ｂ方向に回転することによって、打撃体８８によって鐘部材８１を打撃することができる。打撃体８８が鐘部材８１を打撃した後は、打撃部７０は、自重に従って僅かに矢印Ａ方向（図５（ｂ）参照）に揺動し、図５（ａ）に示す状態に復帰する。
【００４１】
本実施形態の場合、打撃部７０をその揺動方向における一方向（つまり打撃方向）に付勢する付勢部は、ねじりバネ８９である。
ねじりバネ８９（付勢部）は、棒状体の一部分が渦巻き状に巻回されることにより構成された巻回部８９ｃと、巻回部８９ｃから突出している棒状体の他の一部分により構成されている第１突出部８９ａと、巻回部８９ｃから突出している棒状体の更に他の一部分により構成されている第２突出部８９ｂと、を有している。
そして、ねじりバネ８９の巻回部８９ｃは、打撃部７０と同軸に、押圧スライダ２０に対して軸支されている。すなわち、軸支部８０ａの上記軸体が巻回部８９ｃに挿通されることによって、該巻回部８９ｃが取付ベース部材８０を介して押圧スライダ２０に対して軸支されている。
ここで、打撃部７０は、ねじりバネ８９の第１突出部８９ａを保持する第１保持部８４を有している。図４に示すように、この第１保持部８４は、例えば、筒状部８３の他端（支持部８２側とは反対側）に設けられている。
一方、押圧スライダ２０には、ねじりバネ８９の第２突出部８９ｂを保持する第２保持部８５が設けられている。より詳細には、取付ベース部材８０が第２保持部８５を備えている（図１（ａ）、図１（ｂ）、図５（ａ）〜（ｃ））。
なお、ねじりバネ８９を構成する棒状体は、金属棒であることが好ましい。
【００４２】
図５（ａ）〜（ｃ）に示すように、第１突出部８９ａは、巻回部８９ｃから概ね上方に向けて突出しており、第２突出部８９ｂは巻回部８９ｃから前方に向けて突出している。
第１保持部８４は、打撃部７０の揺動方向（軸支部８０ａの軸周り方向）への第１突出部８９ａの移動を規制している。
第２保持部８５は、打撃部７０の揺動方向（軸支部８０ａの軸周り方向）への第２突出部８９ｂの移動を規制している。
より詳細には、第２保持部８５は、前後方向に延在するスリットを有しており、このスリットに第２突出部８９ｂが挿入されている。したがって、第２保持部８５は、第２突出部８９ｂの上下方向への移動を規制している。
【００４３】
押圧スライダ２０の前進に伴って打撃部７０が前進し、係合突起８６が係合部９２に対して係合することにより、図５（ｂ）に示すように、打撃部７０が矢印Ａ方向に揺動する。すなわち、打撃部７０の被軸支部が矢印Ａ方向に揺動する。
ここで、ねじりバネ８９の第２突出部８９ｂを保持している第２保持部８５は取付ベース部材８０に固定されている一方で、ねじりバネ８９の第１突出部８９ａを保持している第１保持部８４は矢印Ａ方向に揺動する。このため、図５（ａ）の状態から図５（ｂ）の状態に移行することによって、第１突出部８９ａと第２突出部８９ｂとのなす角度が縮小し、ねじりバネ８９には、第１突出部８９ａと第２突出部８９ｂとのなす角度を拡大させようとするエネルギーが蓄勢される。
【００４４】
その後、更に押圧スライダ２０が前進することによって打撃部７０が前進し、係合部９２に対する係合突起８６の係合が解除されると、ねじりバネ８９に蓄えられたエネルギーが開放されるため、図５（ｃ）に示すように、打撃部７０が矢印Ｂ方向に勢いよく揺動し、打撃体８８が鐘部材８１の円筒部８１ａの外面を打撃する。
これにより、鐘部材８１が振動し、鐘部材８１から音が出力される（鐘部材８１が発音する）。
【００４５】
ここで、本実施形態の場合、係合部９２は、搭載部１０の内面に設けられている。
より詳細には、係合部９２は、搭載部１０の底面上（底板部１２の上面上）に設けられている。また、打撃部７０は、マガジン１００の前後方向に対して直交する幅方向に延在する水平軸周りに揺動可能に押圧スライダ２０に軸支されている（取付ベース部材８０を介して押圧スライダ２０に軸支されている）。このような構成により、打撃部７０の動作に必要なスペースの幅寸法を低減できるため、押圧スライダ２０と打撃機構とを前後方向において互いに重複する配置で配設することが可能となる。
【００４６】
係合部９２は、図５（ｂ）及び図５（ｂ）に示すように、前方に向けて上り傾斜している第１傾斜面９２ａと、第１傾斜面９２ａの前方に隣接して配置されているとともに前方に向けて下り傾斜している第２傾斜面９２ｂと、を含む山型形状に形成されている。
また、係合部９２における第１傾斜面９２ａと第２傾斜面９２ｂとの境界部を頂部９２ｃと称する。
なお、図１（ａ）、図１（ｂ）、図２（ａ）、図２（ｂ）等に示されるように、係合部９２の各部はマガジン１００の幅方向において所定の幅寸法を有しており、係合突起８６の進路上に配置されている。
第１傾斜面９２ａに対して打撃部７０（特に係合突起８６）が係合した状態で押圧スライダ２０が前進することによって、打撃部７０が上記反対方向（矢印Ａ方向）に揺動するようになっている。
ここで、第２傾斜面９２ｂの傾斜角度が、第１傾斜面９２ａの傾斜角度よりも急角度となっている。
つまり、第１傾斜面９２ａの傾斜角度は第２傾斜面９２ｂの傾斜角度よりも緩やかになっている。よって、係合突起８６が第１傾斜面９２ａに対してスムーズに乗り上げることが可能である。また、係合突起８６が頂部９２ｃを乗り超えるや否や、係合部９２に対する係合突起８６の係合がスムーズに解除されて、打撃部７０が矢印Ｂ方向に勢いよく揺動できるようになっている。
【００４７】
また、本実施形態の場合、マガジン１００は、前後方向において所定間隔で配置された複数の係合部９２を備えている。
すなわち、特定の前進位置が前後方向において複数箇所に存在している。
より詳細には、マガジン１００は、側部１２ｂ上に設けられた係合部ユニット９０を備えている。係合部ユニット９０は、前後に長尺に形成されている平坦なシート状のベース部９１と、ベース部９１の上面に形成された複数の係合部９２とを備えている。
本実施形態の場合、係合部ユニット９０は、前後方向において一定間隔で配置された複数の係合部９２を備えている。ここで、図２（ａ）に示すように、前後方向において相互に隣接する係合部９２どうしの距離Ｌは、搭載部１０に搭載されるたばこ商品６０の厚み寸法Ｄと等しく設定されていることが好ましい。このようにすることにより、マガジン１００からたばこ商品６０が１個取り出される度に、打撃部７０によって鐘部材８１を打撃し鐘部材８１を発音させることができる。
また、係合部９２の数は特に限定されないが、例えば、５個となっている。
ここで、各係合部９２の高さ（頂部９２ｃの高さ）は、互いに等しくても良いが、複数の係合部９２のうち、より前方に位置する係合部９２の方が、突出高さ（頂部９２ｃの高さ）が大きくなっていても良い。このようにすることにより、打撃部７０が鐘部材８１を打撃する際の押圧スライダ２０の位置がより前方である程、より強く鐘部材８１を打撃することができて、鐘部材８１からより大きな音を発音させることができる。
なお、ここでは、搭載部１０の本体部１１とは別部材の係合部ユニット９０が本体部１１に取り付けられることで係合部９２が設けられている例を説明したが、係合部９２は本体部１１と一体成形されていても良い。
【００４８】
なお、本実施形態に係るマガジン１００は、搭載部１０に搭載されているたばこ商品６０の残量を視覚的に報知する公知の構成を更に備えていても良い。
【００４９】
ここで、上述のように、打撃機構は、押圧スライダ２０が特定の前進位置に前進することに連動して鐘部材８１を打撃する。
すなわち、搭載部１０に搭載されているたばこ商品６０の残個数が６個から５個に減ることによって、押圧スライダ２０が図１（ａ）及び図２（ａ）に示す位置から図１（ｂ）及び図２（ｂ）に示す位置に前進することにより、打撃部７０及び係合部ユニット９０等により構成される打撃機構が鐘部材８１を打撃する。
より詳細には、押圧スライダ２０が図１（ａ）及び図２（ａ）に示す位置から図１（ｂ）及び図２（ｂ）に示す位置に前進する過程で、図５（ａ）〜（ｃ）に示すように、打撃部７０の係合突起８６が係合部９２に対して係合することにより打撃部７０がねじりバネ８９による付勢に抗して矢印Ａ方向に揺動した後、係合部９２に対する係合突起８６係合が解除されて打撃部７０がねじりバネ８９による付勢に従って矢印Ｂ方向に揺動することで、打撃部７０が鐘部材８１を打撃する。
これにより、搭載部１０に搭載されているたばこ商品６０の残個数が所定の残個数となったことが聴覚的に報知される。
よって、忙しい店員の目が、マガジン１００における視覚的な報知状況の確認にまで行き届かない場合でも、搭載部１０に搭載されているたばこ商品６０の残個数が所定の残個数となったことを店員が容易に認識することが可能である。
また、たばこ商品６０の購買者が自らマガジン１００からたばこ商品６０を取り出す場合、店員は視覚的な報知状況を確認しづらいことが想定されるが、そのような場合にも、搭載部１０に搭載されているたばこ商品６０の残個数が所定の残個数となったことを店員が容易に認識することが可能である。
【００５０】
本実施形態の場合、搭載部１０に搭載されているたばこ商品６０の残個数が、５個から４個に減った場合、４個から３個に減った場合、３個から２個に減った場合、及び、２個から１個に減った場合にも、同様に、打撃部７０が鐘部材８１を打撃する。よって、それぞれのタイミングにおいて、搭載部１０にたばこ商品６０を補充する必要があることを店員に認識させることができる。
【００５１】
このように、所定の残量（所定の残個数）をＮ個（Ｎは２以上の自然数）とすると、搭載部１０におけるたばこ商品６０の残個数が（Ｎ＋１）個からＮ個に減ることにより、打撃部７０が鐘部材８１を打撃し、鐘部材８１が報知音を発音する。
同様に、搭載部１０におけるたばこ商品６０の残個数がＮ個以下の状態で、搭載部１０におけるたばこ商品６０の残個数が減ることによっても、打撃部７０が鐘部材８１を打撃し、鐘部材８１が報知音を発音する。
ただし、押圧スライダ２０が前進しても、当該前進の後において搭載部１０に搭載されているたばこ商品６０の残個数がＮ個よりも多い場合には、打撃部７０は鐘部材８１を打撃しない。
【００５２】
次に、動作を説明する。
【００５３】
初期状態では、搭載部１０に６個以上のたばこ商品６０が搭載されているものとする。この状態では、押圧スライダ２０は特定の前進位置よりも後方に位置している。
【００５４】
搭載部１０に搭載されているたばこ商品６０のうち、先頭のものが取り出されると、搭載部１０に搭載されている残りのたばこ商品６０のうち、最前位置のたばこ商品６０の前面がフラップ１６の背面に当接するまで、残りのたばこ商品６０が押圧スライダ２０によって前方に押される。
従って、押圧スライダ２０は、搭載部１０上のたばこ商品６０の残個数が減る度に、段階的に前進する。
なお、先頭のたばこ商品６０が前方に取り出される際には、フラップ１６が当該たばこ商品６０の前面に押されて前傾しうるため、たばこ商品６０の取り出しを容易に行うことができる。また、先頭のたばこ商品６０が取り出された後は、搭載部１０に残留するたばこ商品６０が押圧スライダ２０によってまとめて前方に押し出される。
なお、搭載部１０に残留するたばこ商品６０のうち新たに先頭に位置することとなったたばこ商品６０の前面によって、フラップ１６の後側壁部１６ｂの下部（軸部１６ｄよりも下方に位置する部分）が前方に押される。これにより、フラップ１６は起立状態に復帰する。
【００５５】
図１（ｂ）及び図２（ｂ）に示すように、搭載部１０におけるたばこ商品６０の残個数が５個となることにより、押圧スライダ２０は特定の前進位置まで前進する。これにより、打撃部７０が鐘部材８１を打撃するので、鐘部材８１が発音する（報知音が出力される）。
よって、店員は、搭載部１０におけるたばこ商品６０の残個数が５個に減ったことを認識できる。
【００５６】
以上のような実施形態によれば、マガジン１００は、打撃を受けて発音する鐘部材８１と、押圧スライダ２０が特定の前進位置に前進することに連動して鐘部材８１を打撃する打撃機構（打撃部７０及び係合部ユニット９０等により構成される）と、を備えている。
よって、搭載部１０に搭載されている物品が所定の残量に減った旨を聴覚的に報知することが可能となる。
【００５７】
以上、図面を参照して実施形態を説明したが、これらは本発明の例示であり、上記以外の様々な構成を採用することもできる。
【００５８】
例えば、鐘部材８１の形状は、上述した形状に限らず、例えば、錐状ないしは円板状の形状であってもよい。
また、付勢部は、ねじりバネ８９に限らず、その他のバネであってもよい。
また、打撃部７０の揺動軸が左右方向に延在する水平軸である例を説明したが、打撃部７０の揺動軸はその他の方向に延在していてもよい。
また、係合部９２が搭載部１０の底面に配置されている例を説明したが、搭載部１０の底面以外の内面に配置されていてもよい。
また、係合部９２が搭載部１０の内面に配置されている例を説明したが、係合部９２はマガジン１００におけるその他の部位に配置されていても良い。
また、打撃部７０の打撃体８８と被軸支部とがコイルバネ８７を介して相互に連結されている例を説明したが、被軸支部と打撃体８８とが一の剛体となっていてもよい。
【００５９】
本実施形態は以下の技術思想を包含する。
（１）複数の物品を前後方向に並べて搭載可能な搭載部と、
前記搭載部に沿って前後に移動可能に設けられた押圧スライダと、
前記押圧スライダを前方に付勢するスライダ付勢部と、
打撃を受けて発音する鐘部材と、
前記押圧スライダが特定の前進位置に前進することに連動して前記鐘部材を打撃する打撃機構と、
を備えるマガジン。
（２）前記鐘部材は、前記押圧スライダに搭載されており、
前記打撃機構は、
打撃方向に移動して前記鐘部材を打撃する打撃部と、
前記押圧スライダが前進する際に前記打撃部に対して係合して前記打撃部を前記打撃方向に対する反対方向に移動させる係合部と、
を備え、
前記係合部が前記打撃部に対して係合して前記打撃部が前記反対方向に移動した後、前記打撃部に対する前記係合部の係合が解除されて前記打撃部が前記打撃方向に移動することで、前記打撃部が前記鐘部材を打撃する（１）に記載のマガジン。
（３）前記打撃部は、前記押圧スライダに対して揺動可能に軸支されており、
前記打撃方向は、前記打撃部の揺動方向における一方向であり、
前記打撃機構は、前記打撃部を前記揺動方向における前記一方向に付勢する付勢部を備え、
前記係合部は、前記押圧スライダが前進する際に前記打撃部に係合して前記打撃部を前記付勢部による付勢に抗して前記一方向に対する反対方向に揺動させ、
前記係合部が前記打撃部に対して係合して前記打撃部が前記反対方向に揺動した後、前記打撃部に対する前記係合部の係合が解除されて前記打撃部が前記打撃方向に揺動することで、前記打撃部が前記鐘部材を打撃する（２）に記載のマガジン。
（４）前記付勢部は、ねじりバネであり、棒状体の一部分が渦巻き状に巻回されることにより構成された巻回部と、前記巻回部から突出している前記棒状体の他の一部分により構成されている第１突出部と、前記巻回部から突出している前記棒状体の更に他の一部分により構成されている第２突出部と、を有しており、
前記ねじりバネの前記巻回部は、前記打撃部と同軸に、前記押圧スライダに対して軸支されており、
前記打撃部は、前記ねじりバネの前記第１突出部を保持する第１保持部を有し、
前記押圧スライダには、前記ねじりバネの前記第２突出部を保持する第２保持部が設けられている請求項（３）に記載のマガジン。
（５）前記打撃部は、
前記押圧スライダに軸支されている被軸支部と、
前記鐘部材を打撃する打撃体と、
前記被軸支部と前記打撃体とを相互に連結しているコイルバネと、
を備える（３）又は（４）に記載のマガジン。
（６）前記係合部は、前記搭載部の底面上に設けられ、
前記打撃部は、当該マガジンの前後方向に対して直交する幅方向に延在する水平軸周りに揺動可能に前記押圧スライダに軸支されている（３）から（５）のいずれか一項に記載のマガジン。
（７）前記係合部は、前方に向けて上り傾斜している第１傾斜面と、前記第１傾斜面の前方に隣接して配置されているとともに前方に向けて下り傾斜している第２傾斜面と、を含む山型形状であり、
前記第１傾斜面に対して前記打撃部が係合した状態で前記押圧スライダが前進することによって、前記打撃部が前記反対方向に揺動するようになっており、
前記第２傾斜面の傾斜角度が、前記第１傾斜面の傾斜角度よりも急角度である（６）に記載のマガジン。
（８）前記特定の前進位置が前後方向において複数箇所に存在している（１）から（７）のいずれか一項に記載のマガジン。
【符号の説明】
【００６０】
１０  搭載部
１１  本体部
１２  底板部
１２ａ  中央部
１２ｂ  側部
１２ｃ  スリット
１２ｄ  ガイドレール
１２ｅ  スロープ
１３  側壁部
１３ａ  軸支孔
１３ｂ  ガイド孔
１３ｃ  切欠形状部
１４  前壁部
１５  前壁下部
１６  フラップ
１６ａ  前側壁部
１６ｂ  後側壁部
１６ｄ  軸部
１６ｅ  ガイドピン
１７  後壁部
１７ｂ  後側壁部
１８  収容ケース部
１８ａ  軸支孔
１９  ブレード
２０  押圧スライダ
２１  摺動部
２１ａ  第１挟持部
２１ｂ  第２挟持部
２１ｃ  係止突起
２２  起立板
２３  リブ
５０  巻きバネ
５０ｃ  被係止部
５１  巻回部
５２  繰出部
５５  ドラム
５５ａ  軸部
６０  たばこ商品（物品）
７０  打撃部
８０  取付ベース部材
８０ａ  軸支部
８１  鐘部材
８１ａ  円筒部
８１ｂ  ドーム部
８１ｃ  止着部材
８２  支持部
８３  筒状部
８４  第１保持部
８５  第２保持部
８６  係合突起
８７  コイルバネ
８８  打撃体
８９  ねじりバネ
８９ａ  第１突出部
８９ｂ  第２突出部
８９ｃ  巻回部
９０  係合部ユニット
９１  ベース部
９２  係合部
９２ａ  第１傾斜面
９２ｂ  第２傾斜面
９２ｃ  頂部
１００  マガジン
【図１】
2018000698.tif 000003
【図２】
2018000698.tif 000004
【図３】
2018000698.tif 000005
【図４】
2018000698.tif 000006
【図５】
2018000698.tif 000007